【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
車両又は施設の内部に設けられ、携帯端末からの受信される第１要求信号に応じて、前記車両又は前記施設のドアを施解錠可能なキーユニットであって、
所定の第１認証情報が前記携帯端末から受信された場合、該第１認証情報に基づき、前記携帯端末の認証を行う第１認証部と、
前記携帯端末から受信される前記車両又は前記施設の予約の開始日時及び終了日時に基づき、前記車両又は前記施設の予約時間内であるか否かを判定する判定部と、
前記第１認証部による前記携帯端末の認証が成功し、且つ、前記第１要求信号が受信された場合、前記車両又は前記施設のドアを解錠又は施錠する処理を行う施解錠処理部と、を備え、
前記施解錠処理部は、前記第１認証部による前記携帯端末の認証が成功した場合であっても、前記判定部により前記車両又は前記施設の予約時間内でないと判定された場合、前記ドアの解錠を要求する前記第１要求信号に基づく前記車両又は前記施設のドアの解錠を禁止する、
キーユニット。
【請求項２】
計時を行うキーユニット用タイマを更に備え、
前記キーユニット用タイマは、当該キーユニットと通信可能なサーバ装置から取得される、前記キーユニット用タイマよりも精度が高い計時を行うサーバ用タイマで取得される時刻を含む時刻情報に基づき、前記サーバ用タイマと同期され、
前記判定部は、前記キーユニット用タイマによる時刻と、前記開始日時及び前記終了日時とに基づき、前記車両又は前記施設の予約時間内であるか否かを判定する、
請求項１に記載のキーユニット。
【請求項３】
前記サーバ装置は、前記携帯端末と通信可能に接続され、
前記時刻情報は、前記サーバ装置から前記携帯端末に送信されると共に、前記携帯端末により前記サーバ装置から受信され、
前記携帯端末から送信される前記時刻情報を受信する、
請求項２に記載のキーユニット。
【請求項４】
前記サーバ装置から送信される前記時刻情報を直接受信する、
請求項２に記載のキーユニット。
【請求項５】
前記開始日時及び前記終了日時の履歴を記憶する第１記憶部を更に備え、
前記判定部は、前記携帯端末が前記サーバ装置と通信できない状態にあることにより、前記時刻情報が受信できない場合、前記履歴内の前記車両又は前記施設の今回の予約に対応する前記開始日時が、前記履歴内の前記車両又は前記施設の前回の予約に対応する前記終了日時より後であるとき、前記車両又は前記施設の予約時間内であると判定し、当該開始日時が当該終了日時より後でないとき、前記車両又は前記施設の予約時間内でないと判定する、
請求項３に記載のキーユニット。
【請求項６】
前記施解錠処理部は、前記携帯端末が前記サーバ装置と通信できない状態にあることにより、前記時刻情報を受信できない状態が所定時間以上継続している場合、前記第１認証部による前記携帯端末の認証が成功した場合であっても、前記ドアの解錠を要求する前記第１要求信号に基づく前記車両又は前記施設のドアの解錠を禁止する、
請求項５に記載のキーユニット。
【請求項７】
前記サーバ装置に対して前記時刻情報を要求する第２要求信号を前記携帯端末に送信するキーユニット用送信部を更に備え、
前記第２要求信号は、前記携帯端末に受信されると共に、前記携帯端末から前記サーバ装置に送信され、
前記時刻情報は、前記第２要求信号が前記サーバ装置に受信された場合に、前記携帯端末に送信され、
前記施解錠処理部は、前記第１認証部による前記携帯端末の認証が成功した場合であっても、前記時刻情報が前記携帯端末から受信された場合であって、前記キーユニット用送信部により前記第２要求信号が送信されてから当該時刻情報が受信されるまでの経過時間が所定時間を超えていた場合、前記ドアの解錠を要求する前記第１要求信号に基づく前記車両又は前記施設のドアの解錠を禁止する、
請求項４乃至６の何れか一項に記載のキーユニット。
【請求項８】
前記車両又は前記施設に対応付けられた第２認証情報を記憶する第２記憶部を更に備え、
前記施解錠処理部は、前記車両又は前記施設のドアを解錠又は施錠する処理として、前記車両又は前記施設に取り付けられ、前記第２認証情報に基づく当該キーユニットの認証が成功し、且つ、当該キーユニットから第３要求信号が受信された場合に、前記車両又は前記施設の解錠又は施錠を行う施解錠装置に対して、前記第２認証情報及び第３要求信号を送信する、
請求項１乃至７の何れか一項に記載のキーユニット。
【請求項９】
第１認証情報が携帯端末から受信された場合、該第１認証情報に基づき、前記携帯端末の認証を行う第１認証部と、計時を行うキーユニット用タイマと、前記キーユニット用タイマによる時刻、及び前記携帯端末から受信される車両又は施設の予約の開始日時及び終了日時に基づき、前記車両又は前記施設の予約時間内であるか否かを判定する判定部と、前記第１認証部による前記携帯端末の認証が成功し、且つ、前記携帯端末から第１要求信号が受信された場合、前記車両又は前記施設のドアを解錠又は施錠する処理を行う施解錠処理部であって、前記第１認証部による前記携帯端末の認証が成功した場合であっても、前記判定部により前記車両又は前記施設の予約時間内でないと判定された場合、前記ドアの解錠を要求する前記第１要求信号に基づく前記車両又は前記施設のドアの解錠を禁止する施解錠処理部と、を備えるキーユニットと、通信可能なサーバ装置であって、
前記キーユニット用タイマよりも精度が高い計時を行うサーバ用タイマと、
前記サーバ用タイマから取得する時刻を含む時刻情報を前記キーユニットに送信するサーバ用送信部と、を備え、
前記キーユニット用タイマは、前記キーユニットで受信される前記時刻情報に基づき、前記サーバ用タイマと同期される、
サーバ装置。
【手続補正２】
【補正対象書類名】明細書
【補正対象項目名】発明の名称
【補正方法】変更
【補正の内容】
【発明の名称】キーユニット、サーバ装置
【手続補正３】
【補正対象書類名】明細書
【補正対象項目名】０００１
【補正方法】変更
【補正の内容】
【０００１】
本発明は、キーユニット等に関する。
【手続補正４】
【補正対象書類名】明細書
【補正対象項目名】０００８
【補正方法】変更
【補正の内容】
【０００８】
そこで、上記課題に鑑み、認証情報を事前に取得可能とし、車両或いは施設の解錠の際にサーバとの通信を必要としない場合であっても、予約時間外での車両或いは施設の不正利用を抑制することが可能なキーユニット等を提供することを目的とする。
【手続補正５】
【補正対象書類名】明細書
【補正対象項目名】０００９
【補正方法】変更
【補正の内容】
【０００９】
上記目的を達成するため、本発明の一実施形態では、
車両又は施設の内部に設けられ、携帯端末からの受信される第１要求信号に応じて、前記車両又は前記施設のドアを施解錠可能なキーユニットであって、
所定の第１認証情報が前記携帯端末から受信された場合、該第１認証情報に基づき、前記携帯端末の認証を行う第１認証部と、
前記携帯端末から受信される前記車両又は前記施設の予約の開始日時及び終了日時に基づき、前記車両又は前記施設の予約時間内であるか否かを判定する判定部と、
前記第１認証部による前記携帯端末の認証が成功し、且つ、前記第１要求信号が受信された場合、前記車両又は前記施設のドアを解錠又は施錠する処理を行う施解錠処理部と、を備え、
前記施解錠処理部は、前記第１認証部による前記携帯端末の認証が成功した場合であっても、前記判定部により前記車両又は前記施設の予約時間内でないと判定された場合、前記ドアの解錠を要求する前記第１要求信号に基づく前記車両又は前記施設のドアの解錠を禁止する、
キーユニットが提供される。
【手続補正６】
【補正対象書類名】明細書
【補正対象項目名】００１１
【補正方法】変更
【補正の内容】
【００１１】
また、上述の実施形態において、
計時を行うキーユニット用タイマを更に備え、
前記キーユニット用タイマは、当該キーユニットと通信可能なサーバ装置から取得される、前記キーユニット用タイマよりも精度が高い計時を行うサーバ用タイマで取得される時刻を含む時刻情報に基づき、前記サーバ用タイマと同期され、
前記判定部は、前記キーユニット用タイマによる時刻と、前記開始日時及び前記終了日時とに基づき、前記車両又は前記施設の予約時間内であるか否かを判定してもよい。
【手続補正７】
【補正対象書類名】明細書
【補正対象項目名】００１３
【補正方法】変更
【補正の内容】
【００１３】
また、上述の実施形態において、
前記サーバ装置は、前記携帯端末と通信可能に接続され、
前記時刻情報は、前記サーバ装置から前記携帯端末に送信されると共に、前記携帯端末により前記サーバ装置から受信され、
前記携帯端末から送信される前記時刻情報を受信してもよい。
【手続補正８】
【補正対象書類名】明細書
【補正対象項目名】００１５
【補正方法】変更
【補正の内容】
【００１５】
また、上述の実施形態において、
前記開始日時及び前記終了日時の履歴を記憶する第１記憶部を更に備え、
前記判定部は、前記携帯端末が前記サーバ装置と通信できない状態にあることにより、前記時刻情報が受信できない場合、前記履歴内の前記車両又は前記施設の今回の予約に対応する前記開始日時が、前記履歴内の前記車両又は前記施設の前回の予約に対応する前記終了日時より後であるとき、前記車両又は前記施設の予約時間内であると判定し、当該開始日時が当該終了日時より後でないとき、前記車両又は前記施設の予約時間内でないと判定してもよい。
【手続補正９】
【補正対象書類名】明細書
【補正対象項目名】００１７
【補正方法】変更
【補正の内容】
【００１７】
また、上述の実施形態において、
前記施解錠処理部は、前記携帯端末が前記サーバ装置と通信できない状態にあることにより、前記時刻情報を受信できない状態が所定時間以上継続している場合、前記第１認証部による前記携帯端末の認証が成功した場合であっても、前記ドアの解錠を要求する前記第１要求信号に基づく前記車両又は前記施設のドアの解錠を禁止してもよい。
【手続補正１０】
【補正対象書類名】明細書
【補正対象項目名】００１９
【補正方法】変更
【補正の内容】
【００１９】
また、上述の実施形態において、
前記サーバ装置に対して前記時刻情報を要求する第２要求信号を前記携帯端末に送信するキーユニット用送信部を更に備え、
前記第２要求信号は、前記携帯端末に受信されると共に、前記携帯端末から前記サーバ装置に送信され、
前記時刻情報は、前記第２要求信号が前記サーバ装置に受信された場合に、前記携帯端末に送信され、
前記施解錠処理部は、前記第１認証部による前記携帯端末の認証が成功した場合であっても、前記時刻情報が前記携帯端末から受信された場合であって、前記キーユニット用送信部により前記第２要求信号が送信されてから当該時刻情報が受信されるまでの経過時間が所定時間を超えていた場合、前記ドアの解錠を要求する前記第１要求信号に基づく前記車両又は前記施設のドアの解錠を禁止してもよい。
【手続補正１１】
【補正対象書類名】明細書
【補正対象項目名】００２１
【補正方法】変更
【補正の内容】
【００２１】
また、上述の実施形態において、
前記車両又は前記施設に対応付けられた第２認証情報を記憶する第２記憶部を更に備え、
前記施解錠処理部は、前記車両又は前記施設のドアを解錠又は施錠する処理として、前記車両又は前記施設に取り付けられ、前記第２認証情報に基づく当該キーユニットの認証が成功し、且つ、当該キーユニットから第３要求信号が受信された場合に、前記車両又は前記施設の解錠又は施錠を行う施解錠装置に対して、前記第２認証情報及び第３要求信号を送信してもよい。
【手続補正１２】
【補正対象書類名】明細書
【補正対象項目名】００２３
【補正方法】変更
【補正の内容】
【００２３】
また、本発明の更に他の実施形態は、サーバ装置として実現可能である。
【手続補正１３】
【補正対象書類名】明細書
【補正対象項目名】００２４
【補正方法】変更
【補正の内容】
【００２４】
上述の実施形態によれば、認証情報を事前に取得可能とし、車両或いは施設の解錠の際にサーバとの通信を必要としない場合であっても、予約時間外での車両或いは施設の不正利用を抑制することが可能なキーユニット等を提供することができる。
【手続補正１４】
【補正対象書類名】図面
【補正対象項目名】図１
【補正方法】変更
【補正の内容】
【図１】
2018145765.tif 000001